(57)【要約】    【課題】  機器に故障が発生した場合においても、正常な電源に接続されている機能を安全に利用することができる電源回路を得る。    【解決手段】  負荷用電源回路Ａ１〜Ａｎの少なくとも１つの過電流保護回路が過電流を検出した場合は、該当する負荷用電源回路からの電力供給を停止させ他の負荷用電源回路からは電力供給が行われるようにし、制御用電源回路２の過電流保護回路５が過電流を検出した場合だけ、制御用電源回路２及び負荷用電源回路Ａ１〜Ａｎからの各電力供給をそれぞれ停止させるようにした。【選択図】  図１
2005323479.tif 000002
【特許請求の範囲】
【請求項１】
所定の機能をなす少なくとも１つの負荷、及び該負荷の動作制御を行う制御回路にそれぞれ対応する電力を供給する電源回路において、
前記制御回路に電力を供給する制御用電源回路部と、
対応する前記負荷に所定の電力を供給する少なくとも１つの負荷用電源回路部と、
前記制御用電源回路部及び該負荷用電源回路部の動作を制御する電源制御回路部と、
を備え、
前記制御用電源回路部及び負荷用電源回路部は、作動時における所定の異常状態の検出をそれぞれ行い、該異常状態を検出すると電力供給を停止すると共に所定の異常検出信号を出力し、前記電源制御回路部は、前記異常検出信号が出力されると、該異常検出信号を出力した前記制御用電源回路部及び／又は負荷用電源回路部に対して電力供給動作を停止させることを特徴とする電源回路。
【請求項２】
前記制御用電源回路部及び負荷用電源回路部は、前記異常状態が所定時間Ｔ１以上継続した場合、前記所定の異常検出信号を出力することを特徴とする請求項１記載の電源回路。
【請求項３】
前記電源制御回路部は、前記所定の異常検出信号が入力されてから所定時間Ｔ２経過した後、該所定の異常検出信号を出力して電力供給を停止している前記制御用電源回路部及び／又は負荷用電源回路部に対して、電力供給を再開させることを特徴とする請求項１又は２記載の電源回路。
【請求項４】
前記作動時における所定の異常状態は、出力電流が所定値以上になる過電流状態であることを特徴とする請求項１、２又は３記載の電源回路。
【請求項５】
前記制御用電源回路部及び負荷用電源回路部は、それぞれスイッチングレギュレータで構成されることを特徴とする請求項１、２、３又は４記載の電源回路。
【請求項６】
前記制御用電源回路部、負荷用電源回路部及び電源制御回路部は、１チップの半導体装置に集積されること特徴とする請求項１、２、３、４又は５記載の電源回路。
【請求項７】
所定の機能をなす少なくとも１つの負荷、該負荷の動作制御を行う制御回路、並びに該負荷及び制御回路にそれぞれ対応する電力を供給する電源回路を有する機器において、
前記電源回路は、
前記制御回路に電力を供給する制御用電源回路部と、
対応する前記負荷に所定の電力を供給する少なくとも１つの負荷用電源回路部と、
前記制御用電源回路部及び該負荷用電源回路部の動作を制御する電源制御回路部と、
を備え、
前記制御用電源回路部及び負荷用電源回路部は、作動時における所定の異常状態の検出をそれぞれ行い、該異常状態を検出すると電力供給を停止すると共に所定の異常検出信号を出力し、前記電源制御回路部は、前記異常検出信号が出力されると、該異常検出信号を出力した前記制御用電源回路部及び／又は負荷用電源回路部に対して電力供給動作を停止させることを特徴とする機器。
【請求項８】
前記機器は、携帯電話機をなし、前記負荷の少なくとも１つは送信出力用パワーアンプであることを特徴とする請求項７記載の機器。
【請求項９】
前記送信出力用パワーアンプに所定のバイアス電圧を供給するバイアス電圧発生回路部を備え、前記電源制御回路部は、前記送信出力用パワーアンプに電力を供給する負荷用電源回路部から前記所定の異常検出信号が出力されると、前記バイアス電圧発生回路部の動作を停止させることを特徴とする請求項８記載の機器。
【請求項１０】
前記制御用電源回路部、負荷用電源回路部、電源制御回路部及びバイアス電圧発生回路部は、１チップの半導体装置に集積されること特徴とする請求項９記載の機器。
【請求項１１】
前記制御用電源回路部及び負荷用電源回路部は、それぞれスイッチングレギュレータで構成されることを特徴とする請求項７、８、９又は１０記載の機器。
【発明の詳細な説明】
【技術分野】
【０００１】
本発明は、携帯電話機等の電源回路に関し、特に、機器全体を制御するＣＰＵ等で構成された制御回路や負荷に異常が発生した場合においても、できるだけ他の正常な電源に接続されている機能を安全に利用できるように電力供給を行う、機能ごとに独立した多数の電力を供給する電源回路及びその電源回路を有する機器に関する。
【背景技術】
【０００２】
近年、携帯電話機やデジタルカメラ等の携帯機器では機能が豊富になり、これに伴って、各機能の電源に要求される性能や仕様も多岐にわたるようになってきた。このため、同じ機器内で、電圧や電流容量の異なる何種類もの電力を供給する電源回路が必要になってきている。
このように多くの電力を供給する電源回路の保護回路の従来例（例えば、特許文献１参照。）を図３に示す。
【０００３】
図３において、電源回路１００は、直流電源をなすバッテリ１１０によって印加された電圧から、所定の電圧をそれぞれ生成して負荷１１１にそれぞれ出力する各スイッチングレギュレータ１０１Ａ〜１０１Ｃを備えている。
各スイッチングレギュレータ１０１Ａ〜１０１Ｃは、それぞれ短絡保護回路（図示せず）を備えている。また、電源回路１００は、スイッチングレギュレータ１０１Ａ〜１０１Ｃから出力された短絡検出信号Ｓ１〜Ｓ３に従って、全スイッチングレギュレータ１０１Ａ〜１０１Ｃに所定の短絡動作を行わせるための短絡動作信号Ｓ４を供給する短絡情報集合回路１０２を備えている。
【０００４】
各スイッチングレギュレータ１０１Ａ〜１０１Ｃは、内蔵する短絡保護回路が、監視対象の電源チャンネルで短絡を検出すると、短絡情報集合回路１０２に、対応する短絡検出信号Ｓ１〜Ｓ３を出力する。例えば、スイッチングレギュレータ１０１Ａの電源チャンネルで短絡があった場合、スイッチングレギュレータ１０１Ａ内の制御ＩＣの短絡保護回路が、該短絡を検出し、短絡情報集合回路１０２に短絡検出信号Ｓ１を出力する。短絡情報集合回路１０２は、スイッチングレギュレータ１０１Ａからの短絡検出信号Ｓ１が入力されると、各スイッチングレギュレータ１０１Ａ〜１０１Ｃに短絡動作信号Ｓ４をそれぞれ出力する。
【０００５】
各スイッチングレギュレータ１０１Ａ〜１０１Ｃは、短絡情報集合回路１０２から短絡動作信号Ｓ４が入力されると、管理下の電源チャンネルをすべて短絡保護状態、例えば電力供給を停止する電源オフ状態になる。したがって、スイッチングレギュレータ１０１Ａ〜１０１Ｃのいずれか１つが短絡を検出した場合でも、所定の短絡保護状態、例えば負荷１１０へのすべての電力供給が停止する電源オフ状態になる。
このように、従来の電源回路１００では、スイッチングレギュレータ１０１Ａ〜１０１Ｃの内、１つでも短絡等の異常動作が検出されると、各スイッチングレギュレータ１０１Ａ〜１０１Ｃに対して負荷１１０へのすべての電力供給を停止するオフ状態にすることにより、各スイッチングレギュレータ１０１Ａ〜１０１Ｃ及び負荷１１０の保護を行っていた。
【特許文献１】特開２０００−３０８３３２号公報
【発明の開示】
【発明が解決しようとする課題】
【０００６】
このように、電池を電源とし、複数の電力の供給を行う電源回路を備えた携帯機器では、機器の消費電力を低減させて使用時間をできるだけ長くするために、機器を制御するためのＣＰＵ等を含む制御回路によって、現在使われていない機能の回路に対して、待機状態にしたり又は電力供給を停止したりして、電池寿命を延ばすための制御を行っていた。このため、機器内では制御回路により頻繁に電源回路に対してそれぞれの電力の供給又は供給停止の制御が行われていた。
しかし、従来技術のように、１つの電源が異常を検出した段階ですべての電力供給を停止してしまうと、異常の起きていない電源に接続されている他の保護動作機能を含む多くの機能まで使えなくなってしまうという問題があった。
【０００７】
本発明は、上記のような問題を解決するためになされたものであり、機器に故障が発生した場合においても、正常な電源に接続されている機能を安全に利用することができる電源回路及びその電源回路を有する機器を得ることを目的とする。
【課題を解決するための手段】
【０００８】
この発明に係る電源回路は、所定の機能をなす少なくとも１つの負荷、及び該負荷の動作制御を行う制御回路にそれぞれ対応する電力を供給する電源回路において、
前記制御回路に電力を供給する制御用電源回路部と、
対応する前記負荷に所定の電力を供給する少なくとも１つの負荷用電源回路部と、
前記制御用電源回路部及び該負荷用電源回路部の動作を制御する電源制御回路部と、
を備え、
前記制御用電源回路部及び負荷用電源回路部は、作動時における所定の異常状態の検出をそれぞれ行い、該異常状態を検出すると電力供給を停止すると共に所定の異常検出信号を出力し、前記電源制御回路部は、前記異常検出信号が出力されると、該異常検出信号を出力した前記制御用電源回路部及び／又は負荷用電源回路部に対して電力供給動作を停止させるものである。
【０００９】
具体的には、前記制御用電源回路部及び負荷用電源回路部は、前記異常状態が所定時間Ｔ１以上継続した場合、前記所定の異常検出信号を出力するようにした。
【００１０】
また、前記電源制御回路部は、前記所定の異常検出信号が入力されてから所定時間Ｔ２経過した後、該所定の異常検出信号を出力して電力供給を停止している前記制御用電源回路部及び／又は負荷用電源回路部に対して、電力供給を再開させるようにした。
【００１１】
前記作動時における所定の異常状態は、出力電流が所定値以上になる過電流状態である。
【００１２】
また、前記制御用電源回路部及び負荷用電源回路部は、それぞれスイッチングレギュレータで構成されるようにしてもよい。
【００１３】
また、前記制御用電源回路部、負荷用電源回路部及び電源制御回路部は、１チップの半導体装置に集積されるようにしてもよい。
【００１４】
また、この発明に係る機器は、所定の機能をなす少なくとも１つの負荷、該負荷の動作制御を行う制御回路、並びに該負荷及び制御回路にそれぞれ対応する電力を供給する電源回路を有する機器において、
前記電源回路は、
前記制御回路に電力を供給する制御用電源回路部と、
対応する前記負荷に所定の電力を供給する少なくとも１つの負荷用電源回路部と、
前記制御用電源回路部及び該負荷用電源回路部の動作を制御する電源制御回路部と、
を備え、
前記制御用電源回路部及び負荷用電源回路部は、作動時における所定の異常状態の検出をそれぞれ行い、該異常状態を検出すると電力供給を停止すると共に所定の異常検出信号を出力し、前記電源制御回路部は、前記異常検出信号が出力されると、該異常検出信号を出力した前記制御用電源回路部及び／又は負荷用電源回路部に対して電力供給動作を停止させるものである。
【００１５】
具体的には、前記機器は、携帯電話機をなし、前記負荷の少なくとも１つは送信出力用パワーアンプである。
【００１６】
また、前記送信出力用パワーアンプに所定のバイアス電圧を供給するバイアス電圧発生回路部を備え、前記電源制御回路部は、前記送信出力用パワーアンプに電力を供給する負荷用電源回路部から前記所定の異常検出信号が出力されると、前記バイアス電圧発生回路部の動作を停止させるようにした。
【００１７】
また、前記制御用電源回路部、負荷用電源回路部、電源制御回路部及びバイアス電圧発生回路部は、１チップの半導体装置に集積されるようにしてもよい。
【００１８】
また、前記制御用電源回路部及び負荷用電源回路部は、それぞれスイッチングレギュレータで構成されるようにしてもよい。
【発明の効果】
【００１９】
本発明の電源回路によれば、負荷用電源回路部が所定の異常状態、例えば過電流状態を検出した場合、該異常状態を検出した負荷用電源回路部に対して電力供給動作を停止させると共に、他の負荷用電源回路部及び制御用電源回路部は電力供給動作を継続するようにし、制御用電源回路部が所定の異常状態、例えば過電流状態を検出した場合だけ、制御用電源回路部及び負荷用電源回路部の電力供給動作をそれぞれ停止させるようにした。このため、制御回路が故障しない限り、機器に故障が発生した場合においても、正常な電源に接続されている機能を安全に利用することができる。
【００２０】
また、本発明の機器によれば、例えば携帯電話機に応用した場合、制御回路が故障した場合にも不用意に送信電波を発することがなく、省電力化を図ることができる。また、機能の一部が故障しても他の機能を使用することができ、信頼性を向上させることができる。
【発明を実施するための最良の形態】
【００２１】
次に、図面に示す実施の形態に基づいて、本発明を詳細に説明する。
第１の実施の形態．
図１は、本発明の第１の実施の形態における電源回路の構成例を示した図である。
図１において、電源回路１は、直流電源であるバッテリ１０から入力された電源電圧Ｖｂａｔから所定の電圧Ｖｏｃ及び所定の電圧Ｖｏ１〜Ｖｏｎ（ｎは、ｎ＞１の整数）をそれぞれ生成し、ＣＰＵ等を含む制御回路１１に電圧Ｖｏｃを供給すると共に、制御回路１１に動作制御される負荷ＬＡ１〜ＬＡｎに電圧Ｖｏ１〜Ｖｏｎを対応して供給する。
【００２２】
電源回路１は、電圧Ｖｏｃを生成して制御回路１１に出力する、例えばスイッチングレギュレータで構成された制御用電源回路２と、対応する電圧Ｖｏ１〜Ｖｏｎを生成して出力する、例えばスイッチングレギュレータで構成された負荷用電源回路Ａ１〜Ａｎと、制御用電源回路２及び負荷用電源回路Ａ１〜Ａｎの動作制御を行う電源制御回路３とを備えている。なお、制御用電源回路２は制御用電源回路部をなし、負荷用電源回路Ａ１〜Ａｎはそれぞれ負荷用電源回路部をなし、電源制御回路３は電源制御回路部をなす。また、制御用電源回路２、負荷用電源回路Ａ１〜Ａｎ及び電源制御回路３は、１チップの半導体装置ＩＣに集積されている。
【００２３】
電源制御回路３は、制御用電源回路２の動作を制御するための制御回路用電源制御信号Ｓｃを生成して制御用電源回路２に出力し、負荷用電源回路Ａ１〜Ａｎの動作をそれぞれ制御するための負荷用電源制御信号Ｓｃ１〜Ｓｃｎをそれぞれ生成して対応する負荷用電源回路Ａ１〜Ａｎに出力する。
一方、制御用電源回路２及び負荷用電源回路Ａ１〜Ａｎには、各出力電流の異常を検出して回路の保護を行う過電流保護回路５，５Ａ１〜５Ａｎがそれぞれ対応して設けられている。
【００２４】
制御用電源回路２の過電流保護回路５は、短絡等の要因で制御用電源回路１１からの出力電流ｉｏｃが所定の電流値以上になる過電流状態の有無を検出し、該過電流状態が所定時間Ｔ１、例えば２ｍｓｅｃ以上継続すると、制御回路１１への電力供給を停止して電源制御回路３に所定の制御用異常検出信号Ｓｅを出力する。ここで、負荷用電源回路Ａ１〜Ａｎは同じ回路構成であることから、任意の負荷用電源回路Ａｋを例にして説明する。負荷用電源回路Ａｋ（ｋ＝１〜ｎ）の過電流保護回路５Ａｋは、短絡等の要因で対応する負荷用電源回路Ａｋからの出力電流ｉｏｋが所定の電流値以上になる過電流状態の有無を検出し、該過電流状態が所定時間Ｔ１、例えば２ｍｓｅｃ以上継続すると、対応する負荷ＬＡｋへの電力供給を停止して電源制御回路３に所定の負荷用異常検出信号Ｓｅｋを出力する。
【００２５】
また、制御回路１１は、電源制御回路３に対して、負荷用電源回路Ａ１〜Ａｎの動作制御を行わせるための制御信号Ｓｄを出力し、電源制御回路３は、入力された制御信号Ｓｄに応じて負荷用電源回路Ａ１〜Ａｎへの負荷用電源制御信号Ｓｃ１〜Ｓｃｎを対応して出力し、負荷用電源回路Ａ１〜Ａｎに対して負荷ＬＡ１〜ＬＡｎへの電力供給又は電力供給停止の各動作をそれぞれ行わせる。また、制御回路１１は、負荷ＬＡ１〜ＬＡｎに対して、作動又は動作停止の制御を行うための負荷制御信号Ｓａ１〜Ｓａｎを対応させて出力し、各負荷ＬＡ１〜ＬＡｎは、入力された負荷制御信号Ｓａ１〜Ｓａｎに応じた動作を行う。
【００２６】
このような構成において、電源制御回路３の動作をもう少し詳細に説明する。
負荷ＬＡｋに何らかの故障が発生して、負荷用電源回路Ａｋに内蔵されている過電流保護回路５Ａｋが作動すると、該過電流保護回路５Ａｋは、該過電流状態をラッチして、負荷用電源回路Ａｋの負荷ＬＡｋへの電力供給を停止させると共に、異常が発生したことを示す負荷用異常検出信号Ｓｅｋを電源制御回路３に出力する。電源制御回路３は、異常が発生したことを示す負荷用異常検出信号Ｓｅｋが入力されると、所定時間Ｔａ、例えば１６ｍｓｅｃの間待機した後、所定の負荷用電源制御信号Ｓｃｋを出力して負荷用電源回路Ａｋを低消費電流状態であるスリープ状態にする。
【００２７】
更に、電源制御回路３は、負荷用電源回路Ａｋに対して、該スリープ状態にしてから所定時間Ｔｂ、例えば２ｍｓｅｃ経過すると該スリープ状態を解除して、負荷ＬＡｋへの給電を開始させて、自動復帰動作を行って負荷ＬＡｋが有する機能の回復を試みる。なお、所定時間Ｔａに所定時間Ｔｂを加算した時間が所定時間Ｔ２をなす。しかしここで、再び負荷用電源回路Ａｋの過電流保護回路５Ａｋが作動すると、電源制御回路３は、負荷用電源回路Ａｋに対する前記自動復帰動作を繰り返し行う。
このように、過電流保護回路５Ａｋが作動した負荷用電源回路Ａｋからの電力供給を停止させ、他の負荷用電源回路からの各電力供給を継続して行わせるため、負荷ＬＡｋが有する機能以外の各機能は使用可能になる。
【００２８】
次に、制御回路１１に何らかの故障が発生し、制御用電源回路２に内蔵された過電流保護回路５が過電流状態を検出して所定の制御用異常検出信号Ｓｅを電源制御回路３に出力すると、過電流保護回路５は、該過電流状態をラッチして、制御用電源回路２は、制御回路１１への電力供給を停止すると共に、異常が発生したことを示す制御用異常検出信号Ｓｅを電源制御回路３に出力する。電源制御回路３は、異常が発生したことを示す制御用異常検出信号Ｓｅが入力されると、直ちに負荷用電源制御信号Ｓｃ１〜Ｓｃｎを使用して負荷用電源回路Ａ１〜Ａｎからの各負荷ＬＡ１〜ＬＡｎへの電力供給をそれぞれ停止させる。この後、電源制御回路３は、所定時間Ｔａ、例えば１６ｍｓｅｃの間待機した後、所定の制御回路用電源制御信号Ｓｃを出力して制御用電源回路２をスリープ状態にする。
【００２９】
更に、電源制御回路３は、制御用電源回路２に対して、前記スリープ状態にしてから所定時間Ｔｂ、例えば２ｍｓｅｃ経過すると該スリープ状態を解除して、制御回路１１への給電を開始させて、自動復帰動作を行わせて制御回路１１の機能回復を試みる。しかしここで、再び制御用電源回路２の過電流保護回路５が作動すると、電源制御回路３は、制御用電源回路２に対する前記自動復帰動作を繰り返し行う。該自動復帰動作を行った時点で、制御回路１１の故障が解決しており、制御用電源回路２の過電流保護回路５が作動しなくなった場合は、電源制御回路３は、制御用異常検出信号Ｓｅが解除されるので、電源制御回路３は、負荷用電源制御信号Ｓｃ１〜Ｓｃｎを使用して、すべての負荷用電源回路Ａ１〜Ａｎを作動状態にする。
【００３０】
次に、図２は、図１の電源回路を携帯電話機に使用した場合の例を示した図である。なお、図２では、図１と同じもの又は同様のものは同じ符号で示し、ここではその説明を省略すると共に、図１との相違点のみ説明する。また、図２では、図１の負荷用回路Ａ１〜Ａｎ及び負荷ＬＡ１〜ＬＡｎにおいて、ｎ＝１にした場合を例にして示している。
図２における図１との相違点は、図１の負荷ＬＡ１を送信出力用パワーアンプＰＡに、図１の負荷用電源回路Ａ１をＰＡ用電源回路Ａｐａにそれぞれ置き換えると共に、送信出力用パワーアンプＰＡのバイアス電圧を生成するＤ／ＡコンバータＤＡＣを設けたことにある。
【００３１】
図２において、電源回路１は、バッテリ１０から入力された電源電圧Ｖｂａｔから所定の電圧Ｖｏｃ及び所定の電圧Ｖｏ１をそれぞれ生成し、ＣＰＵ等を含む制御回路１１に電圧Ｖｏｃを供給すると共に、制御回路１１に動作制御される送信出力用パワーアンプＰＡに電圧Ｖｏ１を供給する。
電源回路１は、制御用電源回路２と、電圧Ｖｏ１を生成して出力する、例えばスイッチングレギュレータで構成されたＰＡ用電源回路Ａｐａと、制御用電源回路２及びＰＡ用電源回路Ａｐａの動作制御を行う電源制御回路３と、送信出力用パワーアンプＰＡに所定のバイアス電圧を供給するＤ／ＡコンバータＤＡＣとを備えている。
【００３２】
なお、ＰＡ用電源回路Ａｐａの構成及び動作は図１の負荷用電源回路Ａ１とまったく同じであり、ＰＡ用電源回路Ａｐａは負荷用電源回路部をなし、Ｄ／ＡコンバータＤＡＣはバイアス電圧発生回路部をなす。また、制御用電源回路２、ＰＡ用電源回路Ａｐａ、電源制御回路３及びＤ／ＡコンバータＤＡＣは、１チップの半導体装置ＩＣに集積されている。
【００３３】
このような構成において、送信出力用パワーアンプＰＡが故障し、ＰＡ用電源回路Ａｐａの出力電流ｉｏ１が増加し、ＰＡ用電源回路Ａｐａに内蔵されている過電流保護回路５Ａｐａが作動すると、該過電流保護回路５Ａｐａは過電流状態をラッチして、ＰＡ用電源回路Ａｐａからの電力供給を停止させる。このため、ＰＡ用電源回路Ａｐａは、送信出力用パワーアンプＰＡへの電力供給を停止し、電源制御回路３へ所定の負荷用異常検出信号Ｓｅ１を出力する。電源制御回路３は、該所定の負荷用異常検出信号Ｓｅ１が入力されると、図１の説明で示した自動復帰動作を行いＰＡ用電源回路Ａｐａに対して送信出力用パワーアンプＰＡへの電力供給を開始させ、再びＰＡ用電源回路Ａｐａの過電流保護回路５Ａｐａが作動すると、前記自動復帰動作を繰り返し行う。
【００３４】
図２では、図１の負荷用回路Ａ１〜Ａｎ及び負荷ＬＡ１〜ＬＡｎにおいて、ｎ＝１にした場合を例にして示しているが、言うまでもなく、図１で示しているように、電源回路１が、ＰＡ用電源回路Ａｐａ以外に少なくとも１つの負荷に対応して電力を供給する負荷用電源回路を有している場合、ＰＡ用電源回路Ａｐａからの電力供給が停止しても、該他の負荷用電源回路からの電力供給は継続されるため、送信出力用パワーアンプＰＡ以外の負荷である携帯電話機における受信機能等の他の機能は使用することができる。
【００３５】
次に、制御回路１１が故障し、制御用電源回路２の出力電流ｉｏｃが増加し、制御用電源回路２に内蔵されている過電流保護回路５が作動すると、該過電流保護回路５は過電流状態をラッチして、制御用電源回路２は、制御回路１１への電力供給動作を停止すると共に、異常が発生したことを示す制御用異常検出信号Ｓｅを電源制御回路３に出力する。電源制御回路３は、異常が発生したことを示す制御用異常検出信号Ｓｅが入力されると、直ちに負荷用電源制御信号Ｓｃ１を使用して、ＰＡ用電源回路Ａｐａから送信出力用パワーアンプＰＡへの電力供給を停止させる。この後、電源制御回路３は、制御用電源回路２に対して前記自動復帰動作を行う。自動復帰後、制御用電源回路２の過電流保護回路５が作動しなくなった場合、電源制御回路３は、制御回路用電源制御信号Ｓｃを用いて、制御用電源回路２を作動状態にして制御回路１１への電力供給を行わせる。
【００３６】
このように、制御回路１１が故障した場合は、送信出力用パワーアンプＰＡの動作を補償することはできなくなるため、送信出力用パワーアンプＰＡが不用意に電波を送信しないようＰＡ用電源回路Ａｐａからの電力供給を停止させる。また、送信出力用パワーアンプＰＡが動作を停止した場合、送信出力用パワーアンプＰＡにバイアス電圧を供給しているＤ／ＡコンバータＤＡＣも動作を停止させるようにすることにより、余分な電力の消費を低減させることができる。前述したように、図２では、図１の負荷用回路Ａ１〜Ａｎ及び負荷ＬＡ１〜ＬＡｎにおいて、ｎ＝１にした場合を例にして示しているが、図１で示しているように、電源回路１が、ＰＡ用電源回路Ａｐａ以外に少なくとも１つの負荷に対応して電力を供給する負荷用電源回路を有している場合、電源制御回路３は、異常が発生したことを示す制御用異常検出信号Ｓｅが入力されると、直ちにＰＡ用電源回路Ａｐａ及びすべての負荷用電源回路からの電力供給をそれぞれ停止させる。
【００３７】
このように、本第１の実施の形態における電源回路は、負荷用電源回路Ａ１〜Ａｎの少なくとも１つの過電流保護回路が過電流を検出した場合は、該当する負荷用電源回路からの電力供給を停止させ他の負荷用電源回路からは電力供給が行われるようにし、制御用電源回路２の過電流保護回路５が過電流を検出した場合だけ、制御用電源回路２及び負荷用電源回路Ａ１〜Ａｎからの各電力供給をそれぞれ停止させるようにした。このことから、機器に故障が発生した場合においても、正常な電源に接続されている機能を安全に利用することができる。
【図面の簡単な説明】
【００３８】
【図１】本発明の第１の実施の形態における電源回路の構成例を示した図である。
【図２】図１の電源回路を携帯電話機に使用した場合の例を示した図である。
【図３】従来の電源回路の構成例を示した図である。
【符号の説明】
【００３９】
１  電源回路
２  制御用電源回路
３  電源制御回路
５，５Ａ１〜５Ａｎ，５Ａｐａ  過電流保護回路
１０  バッテリ
１１  制御回路
Ａ１〜Ａｎ  負荷用電源回路
ＬＡ１〜ＬＡｎ  負荷
ＩＣ  半導体装置
Ａｐａ  ＰＡ用電源回路
ＰＡ  送信出力用パワーアンプ
ＤＡＣ  Ｄ／Ａコンバータ
【図１】
2005323479.tif 000003
【図２】
2005323479.tif 000004
【図３】
2005323479.tif 000005